【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
各々が無線送信機と無線受信機を備える、第一デバイスと第二デバイスとの間のデジタル無線通信の方法であって、前記方法は、
（ａ）前記第一デバイスと前記第二デバイスが、少なくとも一つの事前定義されたメッセージフォーマットを有する所定のプロトコルを使用して接続を確立することと、
（ｂ）その後に前記接続が切れた場合、前記第二デバイスが、再接続したいという要望を示す通知メッセージを第一データレートで送信することと、
（ｃ）再接続が確立されなかった場合、前記第二デバイスが、再接続したいという要望を示す追加の通知メッセージを、前記第一データレートより低い第二データレートで送信することと、
（ｄ）前記第一デバイスと前記第二デバイスとが、前記再接続を確立するために前記第一デバイスが受信した、前記通知メッセージか前記追加の通知メッセージのいずれかの送信に適用されたデータレートで、前記再接続後の通信を行なうことと、を含む
ことを特徴とする方法。
【請求項２】
前記第一デバイスはマスタデバイスを構成し、前記第二デバイスはスレーブデバイスを構成する
ことを特徴とする、請求項１に記載の方法。
【請求項３】
前記より低いデータレートは、前記追加の通知メッセージの少なくとも一部が、前記事前定義されたメッセージフォーマットで規定された少なくともいくつかのビットを複数ビットの送信によって表現する符号化方式を用いて符号化されることによる結果である
ことを特徴とする、請求項１または請求項２に記載の方法。
【請求項４】
前記符号化方式は、各データビットを表すためにそれぞれ固定されたチップシーケンスで構成される
ことを特徴とする、請求項３に記載の方法。
【請求項５】
前記第一デバイスと前記第二デバイスは、前記第二デバイスが必要に応じて前記再接続を確立するために前記追加の通知メッセージを送信することを、接続の際に合意すること、を含む
ことを特徴とする、請求項１乃至請求項４のいずれかに記載の方法。
【請求項６】
前記第二デバイスが、複数の通知メッセージを前記第一データレートで送信すること、を含む
ことを特徴とする、請求項１乃至請求項５のいずれかに記載の方法。
【請求項７】
前記前記第二デバイスが、再接続したいという要望を示す追加の通知メッセージを前記第一データレートで送信すること、をさらに含む
ことを特徴とする、請求項１乃至請求項６のいずれかに記載の方法。
【請求項８】
前記第二データレートで再接続が確立されなかった場合、前記第二デバイスが、再接続したいという要望を示す追加の通知メッセージを、前記第二データレートより低い第三データレートで送信することを含む
ことを特徴とする、請求項１乃至請求項７のいずれかに記載の方法。
【請求項９】
前記第二デバイスが、通知メッセージについて、複数の利用可能なデータレートを周期的に繰り返すこと、を含む
ことを特徴とする、請求項１乃至請求項８のいずれかに記載の方法。
【請求項１０】
前記第一デバイスが、前記第一データレートと前記第二データレートの両方でメッセージを待ち受けすること、を含む
ことを特徴とする、請求項１乃至請求項９のいずれかに記載の方法。
【請求項１１】
基準が満たされた場合、前記データレートを変更すること、を含む
ことを特徴とする、請求項１に記載の方法。
【請求項１２】
前記基準は、前記第一デバイスと前記第二デバイスとの間の信号品質の測定値を含む
ことを特徴とする、請求項１１に記載の方法。
【請求項１３】
前記基準は、一方のデバイスから他方のデバイスへの受信信号強度の推定値を含む
ことを特徴とする、請求項１１または請求項１２に記載の方法。
【請求項１４】
一方のデバイスの受信信号強度が閾値レベルより上または下であると判定された場合、データレートを変更すること、を含む
ことを特徴とする、請求項１乃至請求項１３のいずれかに記載の方法。
【請求項１５】
前記所定のプロトコルは、ブルートゥースプロトコルまたはブルートゥース低エネルギープロトコルと互換性がある
ことを特徴とする、請求項１乃至請求項１４のいずれかに記載の方法。
【請求項１６】
前記通知メッセージと前記追加の通知メッセージは、ブルートゥースプロトコルに従った一つ以上の通知イベントの一部を形成する
ことを特徴とする、請求項１５に記載の方法。
【請求項１７】
無線送信機および無線受信機を備えるデジタル無線デバイスであって、前記デバイスは、
（ａ）少なくとも一つの事前定義されたメッセージフォーマットを有する所定のプロトコルを用いて別のデバイスとの接続を確立し、
（ｂ）その後に前記接続が切れた場合、再接続したいという要望を示す通知メッセージを第一データレートで送信し、
（ｃ）再接続が確立されなかった場合、再接続したいという要望を示す追加の通知メッセージを、前記第一データレートより低い第二データレートで送信し、
（ｄ）前記再接続を確立するために前記別のデバイスが受信した、前記通知メッセージか前記追加の通知メッセージのいずれかの送信に適用されたデータレートで、前記再接続後の通信を行なう、
ように構成されている
ことを特徴とするデバイス。
【請求項１８】
前記より低いデータレートは、前記追加の通知メッセージの少なくとも一部が、前記事前定義されたメッセージフォーマットで規定された少なくともいくつかのビットを複数ビットの送信によって表現する符号化方式を用いて符号化されることによる結果である
ことを特徴とする、請求項１７に記載のデバイス。
【請求項１９】
前記符号化方式は、各データビットを表すためにそれぞれ固定されたチップシーケンスで構成される
ことを特徴とする、請求項１８に記載のデバイス。
【請求項２０】
必要に応じて、前記再接続を確立するために前記追加の通知メッセージを送信するよう、接続の際に他方のデバイスと合意するように構成されている
ことを特徴とする、請求項１７乃至請求項１９のいずれかに記載のデバイス。
【請求項２１】
複数の通知メッセージを前記第一データレートで送信するように構成されている
ことを特徴とする、請求項１７乃至請求項２０のいずれかに記載のデバイス。
【請求項２２】
再接続したいという要望を示す追加の通知メッセージを前記第一データレートで送信するように構成されている
ことを特徴とする、請求項１７乃至請求項２１のいずれかに記載のデバイス。
【請求項２３】
前記第二データレートで再接続が確立されなかった場合、再接続したいという要望を示す追加の通知メッセージを、前記第二データレートより低い第三データレートで送信するように構成されている
ことを特徴とする、請求項１７乃至請求項２２のいずれかに記載のデバイス。
【請求項２４】
通知メッセージについて、複数の利用可能なデータレートを周期的に繰り返すように構成されている
ことを特徴とする、請求項１７乃至請求項２３のいずれかに記載のデバイス。
【請求項２５】
基準が満たされた場合、前記データレートを変更するように構成されている
ことを特徴とする、請求項１７に記載のデバイス。
【請求項２６】
前記基準は、他方のデバイスとの間の信号品質の測定値を含む
ことを特徴とする、請求項２５に記載のデバイス。
【請求項２７】
前記基準は、他方のデバイスからの受信信号強度の推定値を含む
ことを特徴とする、請求項２５または請求項２６に記載のデバイス。
【請求項２８】
他方のデバイスからの受信信号強度が閾値レベルより上または下であると判定された場合、前記データレートを変更するように構成されている
ことを特徴とする、請求項２５乃至請求項２７のいずれかに記載のデバイス。
【請求項２９】
前記所定のプロトコルは、ブルートゥースプロトコルまたはブルートゥース低エネルギープロトコルと互換性がある
ことを特徴とする、請求項１７乃至請求項２８のいずれかに記載のデバイス。
【請求項３０】
前記通知メッセージと前記追加の通知メッセージは、ブルートゥース仕様に従った一つ以上の通知イベントの一部を形成する
ことを特徴とする、請求項２９に記載のデバイス。
【請求項３１】
各々が無線送信機および無線受信機を備える第一デバイスおよび第二デバイスから成るデジタル無線通信システムであって、
（ａ）前記第一デバイスと前記第二デバイスは、少なくとも一つの事前定義されたメッセージのフォーマットを有する所定のプロトコルを使用して接続を確立するように構成されており、
（ｂ）前記第二デバイスは、その後に前記接続が切れた場合、再接続したいという要望を示す通知メッセージを第一データレートで送信するように構成されており、
（ｃ）前記第二デバイスは、再接続が確立されなかった場合、再接続したいという要望を示す追加の通知メッセージを、前記第一データレートより低い第二データレートで送信するように構成されており、
（ｄ）前記第二デバイスは、前記再接続を確立するために前記第一デバイスが受信した、前記通知メッセージか前記追加の通知メッセージのいずれかの送信に適用されたデータレートで、前記再接続後の通信を行なうように構成されている
ことを特徴とするデジタル無線通信システム。
【請求項３２】
前記第一デバイスと前記第二デバイスの一方もしくは両方は、請求項１７乃至請求項３０のいずれかに記載のデバイスから成る
ことを特徴とする、請求項３１に記載のデジタル無線通信システム。